(57)【要約】      （修正有）【課題】編み出し部により美観を損ねないように、底面のある袋編地を編成すること、ならびに、そのようにして編成した３次元編物を提供する。【解決手段】３次元編地の底面に沿って編み出しを開始し、編み出しライン４の両側で２つのキャリアにより引き返し編みし、底面と側面の一部を編成する。次の引き返し編みにより、側面の下部を編成し、周回編成により残る側面を編成する。【効果】編み出し部が目立たない３次元編地を編成できる。【選択図】図２
2008308794.tif 000002
【特許請求の範囲】
【請求項１】
少なくとも前後一対の針床を備えた横編機により、底面と４側面とを有する３次元編物を編成する方法であって、
a)  前記編物の底面に沿って、対向する一対の側面の各一部にまで延びる編み出し部から、編成を開始するステップと、
b)  前記編み出し部を境界として、編み出し部の両側へ、少なくとも一対のキャリアを用いて、ウェール方向が逆向きとなるように引き返し編みするステップと、
c)  引き返し編みの後に、３次元編物の４側面を筒状編成するステップ、とを備えた３次元編物の編成方法。
【請求項２】
ステップb)で引き返し編みするエリアが、編み出し部の両側の合計で、前記一対の側面中の各側面につき、４エリアであることを特徴とする、請求項１の３次元編物の編成方法。  
【請求項３】
ステップa)で、前記底面の中央部に沿った編み出し部から編成を開始すると共に、
ステップb)で、編み出し部の両側において、前記一対の側面の各一部と底面とを含む編幅から、引き返し編みにより編幅を編み出し部に沿った底面の幅以下に減らすように編成した後、編幅を増すように引き返し編みすることを特徴とする、請求項２の３次元編物の編成方法。
【請求項４】
ステップa)で、前記底面の端部に沿った編み出し部から編成を開始すると共に、
ステップb)で、編み出し部の両側において、引き返し編みにより編幅を増すように編成した後、編み出し部の底面側において、編幅を引き返し編みにより減らし、次いで再度編幅を引き返し編みにより増すことを特徴とする、請求項２の３次元編物の編成方法。
【請求項５】
ステップb)で、編み出し部の両端部で、編幅が変化するように引き返し編みすると共に、編み出し部の中央部で、編成するコース数が編み出し部に沿って変化するように、引き返し編みすることを特徴とする、請求項１の３次元編物の編成方法。
【請求項６】
対向する一対の側面の各一部にまで延びる、３次元編物の底面に沿った編み出し部と、
前記編み出し部を境界として、編み出し部の両側へ延び、かつウェール方向が互いに逆向きの、少なくとも一対の引き返し編みしたエリアと、
前記少なくとも一対の引き返し編みしたエリアに接続され、かつ編物の周囲をなす筒状編成エリア、とを備えた３次元編物。
【請求項７】
前記３次元編物がバッグであることを特徴とする、請求項６の３次元編物。
【請求項８】
複数の指袋を互いに接続して単一の筒状編地とした手袋において、
前記各指袋は、指袋の先端から指袋の側面の一部へと延びる編み出し部と、
編み出し部の両側に、ウェール方向が逆向き設けになるように、引き返し編みした少なくとも一対のエリアと、
前記少なくとも一対のエリアに続く筒状編地、とを備えていることを特徴とする、手袋。
【発明の詳細な説明】
【技術分野】
【０００１】
この発明は手袋や靴下、靴、バッグ、鞄、財布、帽子などの３次元編物とその編成方法に関する。
【背景技術】
【０００２】
特許文献１,２（特開平７−７０８８６及び特開平１０−３３１０５８）は、引き返しを利用した３次元編物の編成を開示している。引き返しは、針の一部を編目を保持したまま休止させて編成に用いず、休止の間に他の針で編地を編成し、次いで休止させた針を編成に再度用いることである。このようにすると、編地内の位置によって編成する編目のコース数を異ならせ、立体的な編地、即ち３次元編物を編成できる。
【０００３】
しかしながら特許文献１の編成方法では、編成した編地の露出した端部に編み出し部が現れ美観に欠け、編成し得る編地の形状にも制限があり、特に底面の有る袋編地の編成が難しい。また特許文献２は自動車の座席シートの編成を示すが、他の形状の編地をどのように編成するのかを開示していない。
【特許文献１】特開平７−７０８８６
【特許文献２】特開平１０−３３１０５８
【発明の開示】
【発明が解決しようとする課題】
【０００４】
この発明の課題は、編み出し部により美観を損ねないように、底面の有る袋編地を編成することと、このようにして編成した３次元編物を提供することとにある。
【課題を解決するための手段】
【０００５】
この発明は、少なくとも前後一対の針床を備えた横編機により、底面と４側面とを有する３次元編物を編成する方法であって、
a)  前記編物の底面に沿って、対向する一対の側面の各一部にまで延びる編み出し部から、編成を開始するステップと、
b)  前記編み出し部を境界として、編み出し部の両側へ、少なくとも一対のキャリアを用いて、ウェール方向が逆向きとなるように引き返し編みするステップと、
c)  引き返し編みの後に、３次元編物の４側面を筒状編成するステップ、とを備えている。
好ましくは、ステップb)で引き返し編みするエリアが、編み出し部の両側の合計で、一対の側面中の各側面につき、４エリアである。
【０００６】
より好ましくは、ステップa)で、前記底面の中央部に沿った編み出し部から編成を開始すると共に、
ステップb)で、編み出し部の両側において、前記一対の側面の各一部と底面とを含む編幅から、引き返し編みにより編幅を編み出し部に沿った底面の幅以下に減らすように編成した後、編幅を増すように引き返し編みする。
【０００７】
より好ましくは、ステップa)で、前記底面の端部に沿った編み出し部から編成を開始すると共に、
ステップb)で、編み出し部の両側において、引き返し編みにより編幅を増すように編成した後、編み出し部の底面側において、編幅を引き返し編みにより減らし、次いで再度編幅を引き返し編みにより増す。
【０００８】
好ましくは、ステップb)で、編み出し部の両端部で、編幅が変化するように引き返し編みすると共に、編み出し部の中央部で、編成するコース数が編み出し部に沿って変化するように、引き返し編みする。
【０００９】
またこの発明は、対向する一対の側面の各一部にまで延びる、３次元編物の底面に沿った編み出し部と、
前記編み出し部を境界として、編み出し部の両側へ延び、かつウェール方向が互いに逆向きの、少なくとも一対の引き返し編みしたエリアと、
前記少なくとも一対の引き返し編みしたエリアに接続され、かつ編物の周囲をなす筒状編成エリア、とを備えた３次元編物にある。
【００１０】
この明細書での底面は、編み出し部側を下とし、編み終わり部側を上とした際の底面で、手袋やミトンなどの場合、指先側が底面となり、５本指靴下の場合、５本の指先側が底面となる。また通常の靴下や靴スリッパなどの場合、つま先側が底面となる。
３次元編物は、バッグ、鞄、帽子、財布、靴下、５本指靴下、手袋、ミトン、靴、スリッパ、袋物、小物入れなどに用いる。
この発明の３次元編物をバッグとすると、編み出し部が底面付近にあって目立たない。また底面は引き返し編みで編成するので、様々なデザインが可能である。底面は平坦にすることもできれば、図１のように両端が上向きになったもの、あるいは中央が両端よりも高い位置に現れるものなどにすることもできる。従って、デザインに応じて種々の形状のバッグを編成できる。なおここでバッグは、ハンドバッグや、鞄、ポーチ、ショルダーバッグ、手提げの袋物などを含むものとする。
【００１１】
この発明はまた、複数の指袋を互いに接続して単一の筒状編地とした手袋において、
前記各指袋は、指袋の先端から指袋の側面の一部へと延びる編み出し部と、
編み出し部の両側に、ウェール方向が逆向き設けになるように、引き返し編みした少なくとも一対のエリアと、
前記少なくとも一対のエリアに続く筒状編地、とを備えていることを特徴とする。
【発明の効果】
【００１２】
この発明では、編み出し部は３次元編物の底面付近にあり、目立たない。そして編み出しラインの両側で引き返し編みすることにより、立体的な編物となるように底面付近の形状を定めることができる。
ここで、編み出しラインの両側で、編物の左右両端部毎に、合計４エリアを引き返しで編成すると、両端部の側面下部が自然と底面から立ち上がる。
なおこの明細書において、編成方法に関する記載は、得られる編物や手袋等にも当てはまる。
【００１３】
ここで、底面の中央部に沿った編み出し部から編成を開始する。そして編み出し部の両側において、前記一対の側面の各一部と底面とを含む編幅から、引き返し編みにより編幅を編み出し部に沿った底面の幅以下に減らすように編成した後、編幅を増すように引き返し編みする。すると図７のような、立体的な編物が得られる。
【００１４】
また底面の端部に沿った編み出し部から編成を開始する。そして編み出し部の両側において、引き返し編みにより編幅を増すように編成した後、編み出し部の底面側において、編幅を引き返し編みにより減らし、次いで再度編幅を引き返し編みにより増す。すると、図５のような立体的な編物が得られる。
【００１５】
さらに、編み出し部の両端部で、編幅が変化するように引き返し編みすると共に、編み出し部の中央部で、編成するコース数が編み出し部に沿って変化するように、引き返し編みする。すると編物の底面を単純な長方形や正方形以外の形状にでき、底面が立体的に変形した編物を得ることができる。
【００１６】
この発明では、底面付近でウェールが編み出しラインに直角に延び、側面の上部が筒状編成された３次元編物を得ることができる。
この編物は、バッグなどに利用できる。
またこの発明では、立体的な指袋を備えた手袋を得ることができる。
【発明を実施するための最良の形態】
【００１７】
以下にこの発明を実施するための最良の形態を示すが、これに限るものではない。
【実施例】
【００１８】
図１〜図９に、実施例とその変形とを示す。図１〜図４において、２はバッグで、財布、靴、帽子、その他の３次元編物でも良い。バッグ２には、底面中央から左右の側面下部にかけて、編み出しライン４があり、編み出しライン４の両側に一対の引き返しエリア６,８がある。なおこの明細書で、引き返しエリアは引き返し編みにより編成される編物の部分を指し、また左右は編み出しライン４に平行な方向を指し、左右両側面は編み出しライン４が入り込んでいる側面を指す。  
【００１９】
引き返しエリア６の左右両端は、編み出しライン４から遠ざかるに連れて編幅が減少する、三角形等のパーツ１０,１２を成している。同様に引き返しエリア８の左右両端にも、編み出しライン４から遠ざかるに連れて幅が減少する、三角形等のパーツ１１,１３がある。そして引き返しエリア６,８からパーツ１０〜１３を除いた部分が、バッグ２の底面を成す。パーツ１０,１１はバッグ２の左右一方の側面の下部を成し、パーツ１２,１３は左右方向他方の側面の下部を成す。引き返しエリア６,８はそれぞれ別のキャリアａ,ｂで編成し、引き返しエリア６中の、Ｐ'Ｆ'の付近とＰＦの付近とは、同じキャリアで編成しても、別のキャリアで編成しても良い。
【００２０】
なおこの出願において、図面にハッチングを施した部分は、引き返し編みにより編成される部分を示す。また白抜き矢印はウェールの方向を示し、図面の直線状の矢印↑↓は引き返しエリア間の接続を示す。さらに、鎖線で周回編成を行う部分を示すことがある。図の破線は編物としてのパーツを示すために用い、鎖線はパーツの変形例を示す。図中のＱ,Ｑ'等の記号は、パーツのどの位置が編物のどの位置に現れるかを示し、個別に説明しないことがある。上下は、図での上下ではなく、編物での上下で示す。
【００２１】
引き返しエリア６,８を編み出しライン４に沿って見ると、両端に三角形のパーツ１０〜１３があり、パーツ１０〜１３では編み幅が編み出しライン４から遠ざかると小さくなる。また引き返しエリア６,８の中央部は窪んでおり、バッグ２の底面形状は単純な長方形ではない。
【００２２】
引き返しエリア６,８の編成に続いて、別の引き返しエリア１４,１６を編成する。引き返しエリア１４には例えばキャリアａを、引き返しエリア１６には例えばキャリアｂを用いて、エリア１４,１６を別のキャリアで編成する。引き返しエリア１４は左右両端に三角形状もしくは１／４円状のパーツ２５,２６を備え、引き返しエリア１６も同様に左右両端に三角形状もしくは１／４円状のパーツ２７,２８を備えている。パーツ２５〜２８は、編成と共に幅が徐々に増加する。
【００２３】
引き返しエリア１４,１６の中央部は、引き返しエリア６,８の中央部の窪みを埋めるように凸状を成している。そしてパーツ１０,２５や、パーツ１２,２６、パーツ１１,２７、パーツ１３,２８は互いに接続される。同様に引き返しエリア６の中央部と引き返しエリア１４の中央部が接続され、引き返しエリア８の中央部と引き返しエリア１６の中央部とが接続される。引き返しエリア１４,１６に引き続き、周回編成あるいはＣ字状の往復編成などにより筒状編成エリア１８,２０を編成する。２１〜２４は、エリア１８,２０の側面のパーツである。
【００２４】
バッグ２を編成するには、少なくとも２枚の針床を備えた横編機を用い、前後の両針床の針で編成を開始できるように、編み出しライン４を設ける。言い換えると、編み出しライン４の編目を、前後の両針床の針に係止する。次いで引き返し編みにより引き返しエリア６,８を編成し、ここで２つのキャリアａ,ｂを用いる。なお引き返しエリア６,８の編成の最後に、例えば４個のキャリアａ,ａ',ｂ,ｂ'を用いても良い。次に２つのキャリアにより、引き返しエリア１４,１６を編成し、最後に筒状編成エリア１８,２０を例えば周回編成する。
【００２５】
以上によって得られるバッグ２を図１に示し、その正面を図３に、側面を図４に示す。引き返しエリア１４,１６は下に凸で、引き返しエリア６,８は頂点Ｐ，Ｐ'等の付近が上に凸なので、バッグ２の底部は左右両端が上側に持ち上がる。パーツ１０〜１３は、Ｋ−Ｑ間やＫ'−Ｑ'間の目数が僅かなので上向きとなり、編み出しラインＱ−Ｑ'の両端は高い位置に表れ、実施例では引き返しエリア１４,１６の上端とほぼ同じ高さに表れる。
【００２６】
実施例では、引き返しエリア６,８を中央部が窪んだパーツとしたが、鎖線の境界３１,３２で示すように、引き返しエリア６,８の中央部を単純な長方形状にしてもよい。この場合、引き返しエリア１４,１６の下端も境界３３,３４のように直線状にすると、底面がフラットなバッグとなる。
【００２７】
図２の下側に示すように、パーツ１０〜１３とパーツ２５〜２８の形を変化させても良い。新たなパーツを３５〜３８として示す。但しこのようにすると、編み出しライン４に対するパーツ３５〜３８でのウェールの向きが湾曲し、バッグ２の美観が低下する。さらにエリア１８,２０に続けて、蓋４０などを編成しても良く、またエリア１８,２０の上部を接合しても良い。
【００２８】
図５,図６に、底面が平坦な長方形状の袋編物５０を示す。特に指摘した点以外は、図１〜図４の実施例と同様である。５４は編み出しラインで、５６〜５９は引き返しエリア、６０,６２は筒状編成エリアである。ウェールの向きは編み出しライン５４を境界として逆向きで、エリア５６と５９を例えば前後別々の針床で、別々のキャリアを用いて引き返し編成する。次いで引き返しエリア５７,５８を編成し、この後、筒状編成エリア６０,６２を編成する。エリア５６,５９は編み幅が、編み出しライン５４から遠ざかるに連れて徐々に増加し、エリア５７では編み幅が徐々に減少し、エリア５８では編み幅が徐々に増加する。
【００２９】
得られた袋編物５０の外観を図５に示す。袋編物５０の底面端部に編み出しライン５４が位置し、編み出しライン５４は左右の両側面内に延びている。そしてエリア５６〜５９の左右両端の三角形の部分により、袋編物５０の左右両側面の下部が形成されている。なお図６の左側に示すように、エリア５６〜５９の左右両端の三角形の形状を変更することも可能である。但しこのようにすると、引き返しエリアの左右両端の三角形の部分でウェールの向きが湾曲する。
【００３０】
図７に指袋７０の例を示し、図８,図９にこれを用いた手袋１００を示す。特に指摘した点以外は、図１〜図４の実施例と同様である。なお指袋７０は図５の袋編物５０と同様に、単独で用いることもできる。７１は編み出し部で、その両側に引き返しエリア７２〜７５があり、引き返しエリア７２,７４では編み幅は徐々に減少し、引き返しエリア７３,７５で編み幅は徐々に増加する。また引き返しエリア７２,７３と引き返しエリア７４,７５は別のキャリアで編成する。引き返しエリア７３,７５に引き続き、筒状編成エリア７６,７７を編成すると、図７の右側の指袋が得られる。編み出し部７１は指袋の底面中央と、左右両側面の下部中央にあり、指袋の底面は平坦な長方形である。また左右両側面の下部は、各４つの三角形のエリアにより構成されている。
【００３１】
図８,図９の手袋１００では、指袋７０と同様に編成した指袋８０〜８４により５本の指袋とする。なお指袋８０〜８４の数はより少なくても良い。各指袋８０〜８４の中央部を編み出し部８６が通り、編み出し部８６の両側に引き返しエリア９０〜９９がある。指袋８０〜８４は断面長方形状の角筒であり、その側面をマチ８８で接合し、手の甲や手首部を筒状編成すると、図９の手袋１００となる。指袋８０〜８４は断面角筒状なので、指にフィットしやすい。そして編み出し部８６は指袋８０〜８４の先端にあり、目立ちにくい。各指袋８０〜８４はマチ８８で接合したので、手の甲ないし手首でのウェール数が減り、手の形状にフィットしやすい。
【図面の簡単な説明】
【００３２】
【図１】実施例で編成したバッグの写真
【図２】実施例のバッグの編成上のパターンを示す図で、引き返しにより編成する部分にハッチングを施してある
【図３】実施例のバッグの正面図
【図４】実施例のバッグの側面図
【図５】実施例の他の袋編物の斜視図でウェールの方向を白抜き矢印で示す
【図６】図５の袋編物の編成上のパターンを示す図
【図７】実施例での手袋の指袋の編成上のパターンと指袋の側面と正面とを示す図
【図８】実施例の手袋を指先側から見た図
【図９】実施例の手袋の平面図
【符号の説明】
【００３３】
２          バッグ
４,５４    編み出しライン
６,８      引き返しエリア
１０〜１３  パーツ
１４,１６  引き返しエリア
１８,２０  筒状編成エリア
２１〜２８  パーツ
３１〜３４  引き返しエリア境界
３５〜３８  パーツ
４０        蓋  
５０        袋編物
５６〜５９  引き返しエリア
６０,６２  筒状編成エリア
７０        指袋
７１        編み出し部
７２〜７５  引き返しエリア
７６,７７  筒状編成エリア
８０〜８４  指袋
８６        編み出し部
８８        マチ
９０〜９９  引き返しエリア
１００      手袋
【図２】
2008308794.tif 000003
【図３】
2008308794.tif 000004
【図４】
2008308794.tif 000005
【図５】
2008308794.tif 000006
【図６】
2008308794.tif 000007
【図７】
2008308794.tif 000008
【図８】
2008308794.tif 000009
【図９】
2008308794.tif 000010
【図１】
2008308794.tif 000011